(57)【要約】【課題】受付した複数のジョブから給紙トレイの着脱可能な時期を容易に把握でき、画像形成を中断することなく、用紙種類の変更や用紙の補給を適切に行うことができる画像形成システムを提供する。【解決手段】予約されたジョブに従い、給紙位置からの給紙トレイの引き出し可能時期を給紙トレイ情報と時間軸でなす二次元の表を表示部に表示する。【選択図】図３
2012001296.tif 000002
【特許請求の範囲】
【請求項１】
少なくとも、
用紙を収容する複数の給紙トレイと、
前記複数の給紙トレイから給紙される用紙に画像を形成する画像形成手段と、を有し、
前記複数の給紙トレイのうち少なくとも一つの給紙トレイは、該給紙トレイを給紙位置から引き出すと他の給紙トレイから搬送される用紙の搬送経路を遮断する給紙トレイとなっている画像形成システムであって、
画像形成システムで実行される複数のジョブを受け付けるジョブ受付部と、
当該ジョブ受付部に受け付けた複数のジョブの情報に基づき、前記搬送経路を遮断する給紙トレイを含めた前記複数の給紙トレイについて、給紙位置から引き出すことが可能な時間帯を表示する表示部と、
を有することを特徴とする画像形成システム。
【請求項２】
前記給紙トレイに収納される用紙の残量を検出する残量検知手段を有し、
前記表示部は、前記残量検知手段の情報を基に、用紙の残量がゼロの給紙トレイ、もしくは用紙残量が所定の閾値以下の給紙トレイを、給紙位置から引き出し可能な時間帯を表示することを特徴とする請求項１に記載の画像形成システム。
【請求項３】
用紙の残量がゼロの給紙トレイ、もしくは用紙残量が所定の閾値以下の給紙トレイを、給紙位置から引き出し可能な時間帯を表示させるか否かを選択可能としたことを特徴とする請求項２に記載の画像形成システム。
【請求項４】
前記表示部に表示する前記給紙トレイの優先順位を記憶する優先表示記憶手段を有し、
引き出し可能な時間帯がある給紙トレイが二つ以上存在する場合において、
前記優先表示記憶手段の情報および前記残量検知手段の情報に基づき、前記表示部は用紙の残量がゼロの給紙トレイもしくは用紙残量が所定の閾値以下の給紙トレイで、かつ優先順位の高い給紙トレイの引き出しが可能な時間帯を表示することを特徴とする請求項２に記載の画像形成システム。
【請求項５】
前記優先表示記憶手段への優先順位の設定は、ユーザにより可能なことを特徴とする請求項４に記載の画像形成システム。
【請求項６】
前記優先表示記憶手段への優先順位の設定は、前記残量検知手段の情報を基に、前記給紙トレイの紙残量のゼロを含んだ用紙残量が少ない給紙トレイ順とすることを特徴とする請求項４に記載の画像形成システム。
【請求項７】
前記表示部に表示する前記給紙トレイの優先順位を記憶する優先表示記憶手段を有し、
引き出し可能な時間帯がある給紙トレイが二つ以上存在する場合において、
前記優先表示記憶手段の情報に基づき、前記表示部は優先順位の高い給紙トレイの引き出しが可能な時間帯を表示することを特徴とする請求項１に記載の画像形成システム。
【請求項８】
前記優先表示記憶手段への優先順位の設定は、ユーザにより可能なことを特徴とする請求項７に記載の画像形成システム。
【請求項９】
前記給紙トレイをロックして給紙位置から引き出しを禁止する給紙トレイロック手段を有し、
給紙トレイを給紙位置から引き出すことができない時間帯は前記給紙トレイロック手段により前記給紙トレイはロックされることを特徴とする請求項１から８のいずれか一項に記載の画像形成システム。
【発明の詳細な説明】
【技術分野】
【０００１】
本発明は、画像形成システム、特には複数のジョブを管理しながら画像形成を行う画像形成システムに関する。
【背景技術】
【０００２】
近年の複写機やプリンタはプリント速度の高速化により、従来のオフィス領域にとどまらずプロダクションプリント市場で使用される機会が増加している。プロダクションプリント市場においては、高速で、かつ大量のプリント作成を行う機会も多く、大容量給紙装置を使用することも多くなってきている。
【０００３】
また、用いられる用紙の種別も多く、多種多様な用紙を収納する給紙装置も必要となっている。
【０００４】
これらの装置において、連続したプリントジョブが登録され、プリントが継続する中で、プリントを中断することなく用紙の補給を行える高いプリント生産性が求められている。
【０００５】
特許文献１では、用紙を補給するために給紙トレイを着脱することによって、給紙中の用紙の搬送路を遮断する他の給紙トレイに対して、用紙を補給することが不可能であることを表示して、用紙の補給をするときのトラブルを未然に防いでいる。
【０００６】
また、特許文献２では、予約された各ジョブの用紙の予定枚数に相当する量を帯状の長さで表示するとともに停止要因を有する各種設定情報を画面上に表示することで画像形成を中断させない工夫がなされている。
【先行技術文献】
【特許文献】
【０００７】
【特許文献１】特開２００７−２４６２２０号公報
【特許文献２】特開２０１０−５０８８３号公報
【発明の概要】
【発明が解決しようとする課題】
【０００８】
特許文献１では現時点での着脱ができない給紙トレイを表示しているが、予約されているジョブに対する情報が欠如している課題を残している。
【０００９】
特許文献２では、予約されているジョブ情報から用紙不足などの停止要因を把握することが可能であるが、給紙トレイの着脱可能な時期は把握することができない課題を残している。
【００１０】
本発明は、上記の課題を解決するためになされたものであって、給紙トレイを給紙位置から引き出すと他の給紙トレイからの用紙搬送路を遮断する構造であると共に、複数のジョブが予約受付可能な画像形成システムにおいて、給紙トレイの着脱可能な時期を容易に把握し、画像形成を中断することなく、用紙種類の変更や用紙の補給を適切に行うことができる画像形成システムを提供することを目的とする。
【課題を解決するための手段】
【００１１】
前述の目的は、下記に記載する発明により達成される。
【００１２】
１．少なくとも、
用紙を収容する複数の給紙トレイと、
前記複数の給紙トレイから給紙される用紙に画像を形成する画像形成手段と、を有し、
前記複数の給紙トレイのうち少なくとも一つの給紙トレイは、該給紙トレイを給紙位置から引き出すと他の給紙トレイから搬送される用紙の搬送経路を遮断する給紙トレイとなっている画像形成システムであって、
画像形成システムで実行される複数のジョブを受け付けるジョブ受付部と、
当該ジョブ受付部に受け付けた複数のジョブの情報に基づき、前記搬送経路を遮断する給紙トレイを含めた前記複数の給紙トレイについて、給紙位置から引き出すことが可能な時間帯を表示する表示部と、
を有することを特徴とする画像形成システム。
【００１３】
２．前記給紙トレイに収納される用紙の残量を検出する残量検知手段を有し、
前記表示部は、前記残量検知手段の情報を基に、用紙の残量がゼロの給紙トレイ、もしくは用紙残量が所定の閾値以下の給紙トレイを、給紙位置から引き出し可能な時間帯を表示することを特徴とする前記１に記載の画像形成システム。
【００１４】
３．用紙の残量がゼロの給紙トレイ、もしくは用紙残量が所定の閾値以下の給紙トレイを、給紙位置から引き出し可能な時間帯を表示させるか否かを選択可能としたことを特徴とする前記２に記載の画像形成システム。
【００１５】
４．前記表示部に表示する前記給紙トレイの優先順位を記憶する優先表示記憶手段を有し、
引き出し可能な時間帯がある給紙トレイが二つ以上存在する場合において、
前記優先表示記憶手段の情報および前記残量検知手段の情報に基づき、前記表示部は用紙の残量がゼロの給紙トレイもしくは用紙残量が所定の閾値以下の給紙トレイで、かつ優先順位の高い給紙トレイの引き出しが可能な時間帯を表示することを特徴とする前記２に記載の画像形成システム。
【００１６】
５．前記優先表示記憶手段への優先順位の設定は、ユーザにより可能なことを特徴とする前記４に記載の画像形成システム。
【００１７】
６．前記優先表示記憶手段への優先順位の設定は、前記残量検知手段の情報を基に、前記給紙トレイの紙残量のゼロを含んだ用紙残量が少ない給紙トレイ順とすることを特徴とする前記４に記載の画像形成システム。
【００１８】
７．前記表示部に表示する前記給紙トレイの優先順位を記憶する優先表示記憶手段を有し、
引き出し可能な時間帯がある給紙トレイが二つ以上存在する場合において、
前記優先表示記憶手段の情報に基づき、前記表示部は優先順位の高い給紙トレイの引き出しが可能な時間帯を表示することを特徴とする前記１に記載の画像形成システム。
【００１９】
８．前記優先表示記憶手段への優先順位の設定は、ユーザにより可能なことを特徴とする前記７に記載の画像形成システム。
【００２０】
９．前記給紙トレイをロックして給紙位置から引き出しを禁止する給紙トレイロック手段を有し、
給紙トレイを給紙位置から引き出すことができない時間帯は前記給紙トレイロック手段により前記給紙トレイはロックされることを特徴とする前記１から８のいずれか一項に記載の画像形成システム。
【発明の効果】
【００２１】
本発明は、給紙トレイを給紙位置から引き出すと他の給紙トレイからの用紙搬送路を遮断する構造であり、また複数のジョブが予約受付可能な画像形成システムにおいて、給紙トレイの着脱可能な時期を容易に把握し、画像形成を中断することなく、用紙種類の変更や用紙の補給を適切に行うことが可能となる。
【図面の簡単な説明】
【００２２】
【図１】画像形成システムの中央断面図である。
【図２】画像形成システムの電気的制御構成を示すブロック図である。
【図３】操作パネルＯＰの画面である。
【図４】給紙トレイの引き出し可能な時間帯を表示するフローチャートである。
【図５】用紙残量の警告表示を行うフローチャートである。
【図６】引き出し可能表示の条件選択画面である。
【図７】引き出し可能な給紙トレイの条件選択のフローチャートである。
【図８】給紙トレイの引き出し可能時期を表示した画面である。
【図９】ユーザの優先表示の設定画面である。
【図１０】引き出し可能な給紙トレイの優先表示を行うフローチャートである。
【図１１】優先設定された給紙トレイの引き出し可能時期を表示した画面である。
【図１２】用紙残量が最も少ない引き出し可能な給紙トレイを表示するフローチャートである。
【図１３】最も用紙残量が少ない給紙トレイの引き出し可能な時間帯を表示した画面である。
【発明を実施するための形態】
【００２３】
以下、図面を参照して本発明の実施形態を詳細に説明する。
【００２４】
図１は、本発明を適用する画像形成システムの中央断面図であり、この画像形成システムは、タンデム方式のカラー機である。なお、本発明は、他の方式のカラー機やモノクロ機などにも適用することが可能である。
【００２５】
画像形成システムは、右から順に第２の大容量給紙装置ＰＦＵ２、第１の大容量給紙装置ＰＦＵ１、画像形成装置ＧＳ、その上部に載置された自動原稿搬送装置ＡＤＦからなる。これらは、別体に構成され、システムとして組み上げられるが、一体構成としても良い。
【００２６】
また、画像形成装置ＧＳの上面には、操作パネルＯＰが設けられている。操作パネルＯＰの上部はタッチパネル方式の液晶ディスプレイＬＣＤが、下部にはテンキーなどの各種入力ボタンが配置されている。
【００２７】
画像形成装置ＧＳは、その中央に縦長に巻回された中間転写ベルト１を有し、この中間転写ベルト１の右側にイエローの画像形成手段２Ｙ、マゼンタの画像形成手段２Ｍ、シアンの画像形成手段２Ｃ、ブラックの画像形成手段２Ｋが上から順に配置されている。
【００２８】
各画像形成手段の構成は同一であるので、イエローの画像形成手段２Ｙのみ説明するに、感光体ドラム３Ｙが中間転写ベルト１に接するよう配置されており、この感光体ドラム３Ｙの廻りに反時計方向に、帯電装置４Ｙ、レーザー書込み装置５Ｙ、現像装置６Ｙ、一次転写ローラ７Ｙ（中間転写ベルト１の裏側）、およびクリーニング装置８Ｙが順次配置されている。以降の説明で、各装置のＹ、Ｍ、Ｃ、Ｋを取った部品番号は各色共通の説明である。
【００２９】
自動原稿搬送装置ＡＤＦと中間転写ベルト１の間には、画像読取部ＩＲが配置され、自動原稿搬送装置ＡＤＦで読取位置に給送された原稿の画像、あるいは原稿ガラス上に置かれた原稿の画像を画像読取部ＩＲが読取ってレーザー書込み装置５に供給する。
【００３０】
感光体ドラム３は、帯電装置４で一様帯電された後、レーザー書込み装置５で画像を書き込まれ、感光体ドラム３上に静電潜像が形成される。この静電潜像は、現像装置６でトナー像とされ、一次転写ローラ７によって中間転写ベルト１に転写される。
【００３１】
各色のトナー像が中間転写ベルト１上で重ね合わされると、このトナー像は、二次転写ローラ９により給紙装置１０のいずれかの給紙トレイ、第１の大容量給紙装置ＰＦＵ１あるいは第２の大容量給紙装置ＰＦＵ２のいずれかの給紙トレイから給紙された用紙に転写される。転写後の中間転写ベルト１はベルトクリーニング装置１１により清掃される。
【００３２】
用紙に転写されたトナー像は、定着装置１２により定着される。定着装置１２の下流には、搬送路切換部材１３が設けられ、用紙を排紙トレイ２０に送るか、下方に搬送して両面搬送路に送るかの切換を行う。両面搬送路に送られた用紙は、再度転写位置に送られ裏面に画像が形成される。
【００３３】
第１の大容量給紙装置ＰＦＵ１は３段の用紙収納部としての給紙トレイ３０、給紙トレイ４０、給紙トレイ５０を有する。
【００３４】
給紙トレイ３０、４０、５０はそれぞれ筐体によりそれぞれ独立しており、また各給紙トレイの給紙の機構は同一であり、給紙トレイ３０にて説明する。
【００３５】
給紙トレイ３０に収納されている用紙の上面から給紙ユニット３１により用紙Ｓが一枚に分離され、搬送ローラ３７、３８により搬送され、搬送排出ローラ９１から画像形成装置ＧＳに送り込まれる。
【００３６】
昇降底板３６上に積載された用紙Ｓは、図示しないモータにより昇降する昇降部材によって上昇し、図示しないセンサにより用紙Ｓの上面が検知され、昇降底板３６の上昇が停止される。昇降底板３６には、紙の有無を検知する用紙有無検知センサＰＳ１が配置されており、昇降底板３６上の用紙切れを検知する。
【００３７】
また、光学方式による用紙残量検知センサＳＷを備えており、給紙トレイ３０の用紙Ｓの残量を検知する。用紙残量検知センサＳＷは光学式のセンサに限らず、昇降底板３６を駆動するモータの回転数（パルス数）から昇降底板３６の位置を読み取り、用紙残量を算出することでもよく、これらの方法は問わない。
【００３８】
用紙有無検知センサＰＳ１と用紙残量検知センサＳＷは、残量検知手段として機能する。
【００３９】
第２の大容量給紙装置ＰＦＵ２は３段の用紙収納部としての給紙トレイ６０、給紙トレイ７０、給紙トレイ８０を有する。
【００４０】
給紙トレイ６０、７０、８０はそれぞれ筐体によりそれぞれ独立しており、また各給紙トレイの給紙の機構は同一であり、給紙トレイ６０にて説明する。
【００４１】
給紙トレイ６０に収納されている用紙の上面から給紙ユニット６１により用紙Ｓが一枚に分離され、搬送ローラ６７、６８により搬送され、搬送排出ローラ９９から第２の大容量給紙装置ＰＦＵ１に送り込まれ、第２の大容量給紙装置ＰＦＵ１の給紙トレイ４０の昇降底板の下にある搬送ローラ９５、９４、９３、９２で搬送され、搬送排出ローラ９１を経由して画像形成装置ＧＳに送り込まれる。
【００４２】
第２の大容量給紙装置ＰＦＵ２の給紙トレイ７０および８０から給紙搬送する用紙Ｓも同様に第１の大容量給紙装置ＰＦＵ１の給紙トレイ４０の搬送ローラ９５、９４、９３、９２で搬送され、搬送排出ローラ９１を経由して画像形成装置ＧＳに送り込まれる。
【００４３】
第２の大容量給紙装置ＰＦＵ２から給紙される用紙Ｓは、第１の大容量給紙装置ＰＦＵ１の給紙トレイ４０が用紙Ｓの補給などで引き出されていると給紙経路が遮断されることとなる。
【００４４】
用紙残量検知センサＳＷおよび用紙有無検知センサＰＳ１は、第１の大容量給紙装置ＰＦＵ１と同様であり、説明を省略する。
【００４５】
給紙トレイ１０ａ、１０ｂ、１０ｃ、３０、４０、５０，６０，７０，８０には図示しない給紙トレイロック機構が備えられ、給紙トレイの引き出しを禁止する給紙トレイロック手段として機能する。
【００４６】
図２は本発明の画像形成システムの電気的制御構成を示すブロック図である。図２では画像データの処理を中心に記載し、シーケンス制御などの構成は簡略化して示している。
【００４７】
図２において、画像形成装置ＧＳは、画像処理制御部１００、プリンタ制御部１１０、スキャナ制御部１２０、操作パネル制御部１３０を有し、各制御部は、画像形成装置ＧＳに接続されるＡＤＦ制御部１４０、ＰＦＵ制御部１５０と点線で示すシリアル通信回線で接続されて画像形成システムを構成している。なお、図２においては、画像処理制御部１００のみＣＰＵ（画像制御ＣＰＵ）やプログラムを格納するメモリを示したが、上記の各制御部も図示は省略したが夫々ＣＰＵやメモリを有し、これらがシリアル通信回線を通じて連携しながらシーケンス制御を行う。
【００４８】
また、図２の２００は、画像形成装置ＧＳに接続されるプリンタコントローラであり、外部のコンピュータＰＣとＬＡＮ回線で結ばれ、コンピュータＰＣからのプリントデータを受け取り、画像処理を行う。プリンタコントローラ２００は、本体に対し外付けでも内部に基板として設置されてもよい。
【００４９】
コンピュータＰＣで作成されるプリントデータは、ＰＳ、ＰＣＬなどのページ記述言語で記述されるので、プリンタコントローラ２００は、このプリントデータを解析し、ビットマップデータに変換する機能を有する。また、プリンタコントローラ２００は、スクリーン処理など画像を調整する処理、文字データの内蔵フォントへの変換などを実行する。このような処理は、コントローラ制御ＣＰＵの制御の下に、ＤＲＡＭ制御ＩＣ２０１がＤＲＡＭをメモリとして実行される。
【００５０】
プリンタコントローラ２００のＤＲＡＭ制御ＩＣ２０１は、画像処理制御部１００のＤＲＡＭ制御ＩＣ１０１とＰＣＩバス（太線で示す）で接続され、変換された画像データおよびコンピュータＰＣのプリンタドライバで設定された各種情報を転送する。
【００５１】
画像処理制御部１００の画像制御ＣＰＵの制御の下に、ＤＲＡＭ制御ＩＣ１０１は、受け取ったデータをバッファとしてのページメモリに一旦保存し、圧縮ＩＣに送ってデータを圧縮した上で、ＤＲＡＭの圧縮メモリに保存する。
【００５２】
圧縮メモリのデータは、各ジョブの制御シーケンスに従って伸張ＩＣに送られて伸張され、書込み処理部を経て画像書き込み用のレーザーダイオードＬＤに供給される。
【００５３】
一方、画像読取部ＩＲのＣＣＤで読取られた原稿の画像データは、読取り処理部、圧縮ＩＣを経て、同様に圧縮メモリに保存され、プリントデータと同様に伸張ＩＣ、書込み処理部からレーザーダイオードＬＤに供給される。原稿を画像読取部ＩＲで読取る場合の各種設定情報は操作パネルＯＰから入力され、操作パネル制御部１３０から転送される。なお、図において細実線は、各構成部品、回路を結ぶデータの転送ラインである。
【００５４】
このように、コンピュータＰＣからのプリント画像データ、或いは原稿を読取った原稿画像データは、各種処理を受け、圧縮伸張されて、最終的にレーザーダイオードＬＤによって感光体３上に書き込まれる。また、コンピュータＰＣや操作パネルＯＰでの各種設定情報はジョブとしてＤＲＡＭに保存され、点線のシリアル通信回線によってシーケンス制御情報とともに各部の制御部に送られる。ＤＲＡＭは複数のジョブを受け付けるジョブ受付部として機能する。
【００５５】
これらの設定情報は、ジョブ単位で送られ、少なくとも、使用する用紙の情報（サイズ、坪量、種類など）、画像の枚数、プリント部数、後処理の態様情報などを含んでいる。
【００５６】
本発明の実施例においては、画像形成システムが受けとった複数のジョブの進行状況を操作パネルＯＰに表示する。
【００５７】
本発明のジョブ進行状況の表示について、操作パネルＯＰの画面を用いて説明する。
【００５８】
図３は、タッチパネル方式の操作パネルＯＰの画面であり、一番上のコラム２００は表示する画面を選択する部分である。ここでは、４つの画面「機械状態」「ジョブリスト」「コピー」「スキャン」のうち、網掛けで表示される「ジョブリスト」が選択されている。コラム２００の右端には、ヘルプメニューを表示するための「疑問符」のボタンと、音声報知メニューを表示するための「スピーカー」のボタンがある。音声報知メニューでは、音声報知モードのオン・オフの切り替えや音声のボリュームの調整などを行うことができる。
【００５９】
コラム２００の下は、情報表示欄２０１である。この欄の左側には画面の操作に関する情報が表示され、右側には、現在ジョブを「出力中」である装置の状態と、処理の完了した部数と枚数の情報が表示されている。
【００６０】
次のコラム２０２は、ジョブリスト画面の中のさらに下位展開した画面を選択する部分である。ここでは、「出力予約ジョブ」「スケジュール」「出力履歴」「送信履歴」「未出力履歴」の５つのタブのうち、「スケジュール」タブが選択され、網掛け表示されている。
【００６１】
次のコラム２０３が、ジョブの進行状況、給紙トレイの引き出し可能の時間帯および用紙の不足を表示する画面で、最上段に時間軸が表示されその下に給紙トレイ毎の表示行が設けられている。各表示行の一番左の番号が給紙トレイの番号を示し、図１の画像形成システムでは、第１の大容量給紙装置ＰＦＵ１と、第２の大容量給紙装置ＰＦＵ２と画像形成装置ＧＳに内蔵した３つの給紙トレイ１０ａ、１０ｂ、１０ｃに対応する。給紙トレイの番号１が給紙トレイ１０ａ、番号２が１０ｂ、番号３が１０ｃ、番号４が給紙トレイ３０、番号５が給紙トレイ４０、番号６が給紙トレイ５０、番号７が給紙トレイ６０、番号８が給紙トレイ７０、番号９が給紙トレイ８０を指す。
【００６２】
給紙トレイの番号の右に各給紙トレイに収容される用紙の情報（サイズ、縦横の区別、坪量、用紙の種類）が表示されている。
【００６３】
また、現時点の用紙残量の目安となるアイコンが表示され、給紙トレイの番号１、２、３、７、９が満載を表し、給紙トレイの番号４、５、８は用紙が少なくなったニアエンド状態を表し、トレイの番号６は紙切れ状態（用紙無し）を表している。目安となるアイコンは３種類に限らず、より細分化して表してもよい。
【００６４】
各表示行は、縦の点線でジョブ毎に区切られ、各ジョブに用いられる給紙トレイと時間軸のマトリックスの中で、ジョブが網掛け表示で表示されている。丸付き数字は本発明の説明のためにジョブの順序を示したものであり、例えば、ジョブ１は給紙トレイの番号２の給紙トレイの用紙を用いて現在進行中であり、ジョブ２は給紙トレイの番号３の給紙トレイの用紙を用いて次に実行されることが分かる。
【００６５】
それぞれのジョブに要する時間帯は、予約されているジョブの設定情報から算出される。
【００６６】
それぞれのジョブが実行されるときに使用する給紙トレイは、用紙の補給や用紙の種類を変更するために、給紙位置にセットされている給紙トレイを画像形成装置ＧＳ、第１の大容量給紙装置ＰＦＵ１および第２の大容量給紙装置ＰＦＵ２から引き出すことができないことが分かる。
【００６７】
また、第２の大容量給紙装置ＰＦＵ２の給紙トレイを使用するジョブの場合、用紙は第１の大容量給紙装置ＰＦＵ１の給紙トレイ４０（操作パネルＯＰ上の給紙トレイの番号５）の昇降底板の下にある搬送ローラ９５、９４、９３、９２で搬送され、搬送排出ローラ９１を経由して画像形成装置ＧＳに送り込まれるために、給紙トレイ４０は引き出しができなくなる。
【００６８】
これはジョブ３を実行する時間帯は給紙トレイの番号９だけでなく、給紙トレイの番号５も引き出しができないことを縦線のハッチング（図示Ｎ）で示している。ジョブ７、１１、１３、１５も同様である。
【００６９】
また、各給紙トレイ上の用紙残量は、残量検知手段のセンサ情報から把握されており、この用紙残量とその用紙を用いる各ジョブの情報からどのジョブのときに用紙が不足するかが画像処理制御部１００の画像制御ＣＰＵにより算出され、図示の例ではジョブ９のときＡ４横の用紙が不足することを警告表示Ａ（横線ハッチング）と警告表示Ｂ（黒塗りつぶし）で示している。
【００７０】
警告表示Ａは用紙のニアエンド、警告表示Ｂは用紙無しを表す。ニアエンドは用紙残量が所定の閾値以下になった状態を指し、詳細は後述する。
【００７１】
すなわち図３においては、各給紙トレイの網掛けやハッチングの無い白地で示された時間帯がその給紙トレイの引き出し可能な時間帯となる。
【００７２】
また、各給紙トレイの網掛けやハッチングで示された時間帯は給紙トレイロック手段により給紙トレイを引き出ししないようにロックを行う。たとえば、ジョブ１を実行している時間帯は給紙トレイの番号２がロックされ、ジョブ３を実行している時間帯は給紙トレイの番号９および給紙トレイの番号５がロックされている。
【００７３】
このように、予定されているジョブ情報を基に、用紙の補給や用紙の種類の変更をいつ行うと良いか表示されると共に、給紙トレイの引き出し可能な時間帯が表示され、ジョブの中断をせずに行うことができ、画像形成の生産性の向上を図ることができる。
【００７４】
なお、最下段の「＊該当用紙無し」の欄は、受け付けたジョブに用いる用紙がない場合にこの欄にジョブを登録するものである。
【００７５】
また、操作パネルＯＰがカラー表示できるときは、用紙不足なしに実行できるジョブを青色で、警告表示Ａを黄色で、警告表示Ｂを赤色というようなカラー表示としても良い。
【００７６】
本発明の給紙トレイの引き出し可能な時間帯の表示するフローチャートを図４に示し、その説明を行う。
【００７７】
これは、各ジョブの実行開始時と、給紙トレイの用紙情報が変更された時と、新たなジョブを受け付けた時と、およびジョブ実行中の一定時間ごとに実行されるものであり、図２の画像処理制御部１００、プリンタ制御部１１０、操作パネル制御部１３０、ＰＦＵ制御部１５０での処理を一括して示している。
【００７８】
ジョブ実行中の一定時間ごととは、例えば１分間隔で実行することでよい。
【００７９】
ステップ１００にて、ＤＲＡＭに格納されているジョブ情報を読み出す。
【００８０】
ステップ１１０にて、使用する給紙トレイ以外に用紙搬送路を含む給紙トレイの有無を判定する。前述の第２の大容量給紙装置ＰＦＵ２の給紙トレイ６０、７０、８０が選択されている場合は、第１の大容量給紙装置ＰＦＵ１の給紙トレイ４０が用紙搬送路となるためにＹＥＳとなる。
【００８１】
ＹＥＳの場合、ステップ１２０にて該当する給紙トレイと用紙搬送路を含んだ給紙トレイを除いた給紙トレイのすべてが引き出し可能として表示する。図３の例ではそれぞれの給紙トレイの白地で表された時間帯となる。
【００８２】
ステップ１１０にてＮＯの場合は、該当する給紙トレイだけが引き出しができないこととなり、該当する給紙トレイ以外は引き出し可能として表示する。
【００８３】
図５は用紙残量の警告表示を行うフローチャートを示したものである。
【００８４】
図５において、まず、ステップＳ２００でＤＲＡＭに格納されているジョブ情報を読み出す。
【００８５】
ステップ２１０で各給紙トレイの用紙残量を確認する。この確認は、各給紙トレイに設けられた用紙残量検知センサＳＷの情報（昇降底板３６の高さ）と収容される用紙の坪量情報（厚さ）とにより演算される。
【００８６】
続くステップＳ２２０で、すべての給紙トレイの用紙残量とジョブの情報の用紙の使用枚数から用紙残量が所定の閾値以下になるかの判定を行う。ＮＯの場合をそのまま終了する。
【００８７】
ＹＥＳの場合はステップ２３０にてニアエンド状態として警告表示Ａ表示する。
【００８８】
ここで、用紙残量の閾値は装置に応じて適宜決定すれば良いが、例えば、トレイの最大収容量の２０％という値であってよい。
【００８９】
ステップ２４０にて、すべての給紙トレイの用紙残量とジョブの情報の用紙を使用する枚数から用紙が不足するかの判定を行う。ＮＯの場合をそのまま終了する。
【００９０】
ＹＥＳの場合、ステップ２５０にて用紙無しの警告表示Ｂを表示して終了する。
【００９１】
本発明は受け付けたジョブの情報から用紙の補給や用紙の種類の変更を行うための給紙トレイの引き出し可能な時間帯が容易に読取ることができるだけでなく、用紙残量が一定以下のニアエンド状態の給紙トレイや用紙残量が無くなった給紙トレイの引き出し可能時期を表示することが可能となっている。
【００９２】
図６は、引き出し可能表示の条件選択画面である。
【００９３】
タッチパネル方式の操作パネルＯＰのコラム２０４には紙種変更、紙無しおよびニアエンドの選択ボタンが表示され、それぞれのボタンは選択と非選択がボタン部分を触れることで交互に切り替わる構造をなしている。
【００９４】
図６では、用紙残量がゼロの紙無しのボタンと用紙残量が閾値以下のニアエンドのボタンに斜め線のハッチングにて選択された状態を示している。
【００９５】
選択された条件の設定情報は図２の画像処理制御部１００に実装された不揮発性メモリに保存され、画像形成装置ＧＳの電源が切れた場合でも設定情報が保持される。
【００９６】
図７は引き出し可能な給紙トレイの条件選択のフローチャートである。
【００９７】
このフローチャートを実行するに当たり、図４で示したジョブ進行状況画面の処理がすでに実行されているものとする。
【００９８】
ステップ３００で紙種の変更が選択されているかの判定を行う。ＹＥＳの場合は、ステップ３１０にて、引き出し可能な給紙トレイのすべてを表示する。これは図３で示した操作パネルの表示例と同様で、特定の条件で絞られていないことと同じとなる。
【００９９】
ステップ３２０にて紙無しが選択されているかの判定を行う。ＹＥＳの場合、ステップ３３０にて、引き出し可能な給紙トレイの内、給紙トレイに用紙が無いトレイを表示する。
【０１００】
ステップ３４０にてニアエンドが選択されているかの判定を行う。ＹＥＳの場合、ステップ３５０にて引き出し可能な給紙トレイの内、用紙残量が閾値以下の給紙トレイを表示する。
【０１０１】
それぞれの選択ボタンは独立して選択と非選択が設定可能となっているが、一つのボタンを選択すると他のボタンは非選択になるようにしても良い。
【０１０２】
図８は引き出し可能表示の条件選択画面にて、用紙無しとニアエンドが選択され、その条件が一致している給紙トレイの引き出し可能時期を表示した状態を示している。
【０１０３】
給紙トレイの番号６は紙無し状態で、白地で表されている通りすべての時間帯で引き出し可能な給紙トレイである。
【０１０４】
給紙トレイの番号４、５および８は給紙トレイの残量がニアエンド状態で、ジョブ１１で給紙トレイの番号８およびジョブ１２で給紙トレイの番号５が灰色地で引き出しができない時間帯であることを示している。
【０１０５】
またジョブ３、７、１１、１３、１５では第２の大容量給紙装置ＰＦＵ２の給紙トレイが設定されているために、給紙トレイの一部が用紙搬送路となっている給紙トレイの番号５の引き出しができない時間帯であることを縦線のハッチング（Ｎで図示）で表示している。
【０１０６】
給紙トレイの番号４、５および８は用紙残量がニアエンド状態で、白地で表された時間帯がこれらの給紙トレイの引きだし可能として表示している。
【０１０７】
このように、給紙トレイの用紙無しやニアエンド状態と共にジョブの進行状況、給紙トレイの引き出し可能の時間帯を表示することで、画像形成を中断することなく、適切に用紙の補給や用紙の種類の変更する時期を得ることができる。
【０１０８】
また、引き出し可能な給紙トレイが二つ以上存在する場合、給紙トレイの優先順位に従い、優先順位の高い給紙トレイの引き出し時間帯を表示することができる。この優先順位は図２の画像処理制御部１００に実装された不揮発性メモリに事前に保存され、不揮発性メモリは優先表示記憶手段として機能している。
【０１０９】
この優先順位付けはユーザによる設定の変更が可能となっており、図９はユーザの優先表示の設定画面を示している。
【０１１０】
この例ではコラム２０５の設定画面に給紙トレイの番号９の優先選定がなされ、給紙トレイの番号９のボタンが斜め線のハッチングで表示され、優先設定されていることを示している。また、優先設定は、湯銭設定有りと無しの２段階の設定だけでなく、給紙トレイが９個備わっている場合には９段階の優先順位の設定を可能とすることでも良い。
【０１１１】
図１０は、優先設定がされた場合の引き出し可能な給紙トレイの優先表示を行うフローチャートである。
【０１１２】
このフローチャートを実行するに当たり、図４で示したジョブ進行状況画面の処理がすでに実行されているものとする。
【０１１３】
ステップ４００にて、引き出しが可能な給紙トレイが複数存在するかの判定を行う。
【０１１４】
ＮＯと判定された場合、ステップ４１０にて一つの引き出し可能な給紙トレイを表示する。ＹＥＳと判定された場合、ステップ４２０にて画像処理制御部１００の不揮発性メモリに記憶されている優先順位の情報を呼び出し、最も優先順位の高い引き出し可能な給紙トレイの表示を行う。
【０１１５】
図１１は図９の優先順位設定画面に示した給紙トレイの番号９の給紙トレイが優先設定されている場合の給紙トレイの引き出し可能の時間帯を表している。給紙トレイの番号９の給紙トレイはジョブ番号３および１３で予定されているジョブを実行する時間帯を除いたすべての時間帯が白地で表示され、給紙トレイの引き出しが可能なことを示している。
【０１１６】
このように優先順位を設けることで、例えば給紙トレイの番号９の給紙トレイには特殊な用紙がセットされ、この給紙トレイを使用するジョブは緊急性が求められると想定した場合に、給紙トレイの番号９を常に着目することで用紙不足を回避して、画像形成を中断することなく高い生産性の確保が可能となる。
【０１１７】
さらに本発明は、優先設定として引き出し可能な給紙トレイのうち、用紙残量が最も少ない給紙トレイを優先表示することが可能となっている。
【０１１８】
図１２は残量が最も少ない引き出し可能な給紙トレイを表示するフローチャートである。
【０１１９】
ステップ５００にて、引き出しが可能な給紙トレイが複数存在するかの判定を行う。
【０１２０】
ＮＯと判定された場合、ステップ５１０にて一つの引き出し可能な給紙トレイを表示する。ＹＥＳと判定された場合、ステップ５２０にて用紙有無検知センサＰＳ１と用紙残量検知センサＳＷで検出した用紙残量情報を基に用紙残量の最も少ない給紙トレイの表示を行う。
【０１２１】
用紙有無検知センサＰＳ１が用紙無しを検知した場合、用紙残量が一番少ないと判定され、用紙有無検知センサＰＳ１が用紙無しの給紙トレイがないと検知した場合は用紙残量検知センサＳＷの情報から用紙残量の一番少ない給紙トレイを選択して表示する。少ないと判定される量が複数の給紙トレイで同一となった場合は、その複数の給紙トレイを給紙可能な用紙残量が一番少ない給紙トレイとすることでよい。
【０１２２】
用紙残量はジョブが進行するに従い変化するため、その変化に追従して給紙可能な用紙残量の最も少ない給紙トレイは切り替わって表示することとなる。
【０１２３】
図１３は、表示している時点で給紙トレイの番号５が最も用紙残量が少ないとした場合の給紙トレイの引き出し可能の時間帯を表している。ジョブ番号３、７、１１、１３、および１５で予定されているジョブが大容量給紙装置ＰＦＵ２の給紙トレイから給紙するジョブのために、用紙搬送路の一部を備えた給紙トレイの番号５の給紙トレイは引き出しができないために縦線のハッチングで給紙トレイの引き出しができないことを表している。
【０１２４】
また、ジョブ１２にて給紙トレイの番号５からの給紙を行うために灰色地で給紙トレイの引き出しができないことを表している。
【０１２５】
残された時間帯は給紙トレイの番号５の給紙トレイの引き出しが可能となるため、白地でその時間帯を表している。
【０１２６】
このように、コンピュータＰＣからのプリント画像データ、或いはＡＤＦで原稿を読取った原稿画像データは、ジョブ単位記憶され、それぞれのジョブに対して少なくとも、使用する用紙の情報（サイズ、坪量、種類など）、画像の枚数、プリント部数、後処理の態様情報などを含んでいる。これらのジョブを操作パネルＯＰの画面上に、給紙する給紙トレイだけでなく、給紙する給紙トレイを給紙位置から引き抜くことで用紙搬送経路を遮断する給紙トレイの引き出し可能の時間帯を表示することで、用紙の補給や用紙の交換のために給紙トレイを給紙位置から引き出すことのできる時間帯が明らかになり、用紙補給や用紙交換のタイミングを逸することなく、画像形成を中断せずに生産性の確保が可能となる。
【０１２７】
また、用紙が積載されていない給紙トレイや用紙のニアエンド状態の給紙トレイの引き出し可能時期を明らかにすることや、給紙トレイの優先順位に従った給紙トレイの引き出し可能時期や、用紙残量の最も少ない給紙トレイの引き出し可能時期を明らかにすることも可能となり、更なる画像形成の生産性を確保することができる。
【符号の説明】
【０１２８】
１  中間転写ベルト
２Ｃ  画像形成手段
２Ｋ  画像形成手段
２Ｍ  画像形成手段
２Ｙ  画像形成手段
３Ｙ  感光体ドラム
４Ｙ  帯電装置
５Ｙ  レーザー書込み装置
６Ｙ  現像装置
７Ｙ  一次転写ローラ
８Ｙ  クリーニング装置
９  二次転写ローラ
１０  給紙装置
１０ａ  給紙トレイ
１０ｂ  給紙トレイ
１０ｃ  給紙トレイ
１１  ベルトクリーニング装置
１２  定着装置
３０、４０、５０、６０、７０、８０  給紙トレイ
３６  昇降底板
９１、９９  搬送排出ローラ
１００  画像処理制御部
１１０  プリンタ制御部
１２０  スキャナ制御部
１３０  操作パネル制御部
１４０  ＡＤＦ制御部
１５０  ＰＦＵ制御部
２００  プリンタコントローラ
ＡＤＦ  自動原稿搬送装置
ＧＳ  画像形成装置
ＩＲ  画像読取部
ＬＣＤ  液晶ディスプレイ
ＯＰ  操作パネル
ＰＳ１  用紙有無検知センサ
ＰＦＵ１  大容量給紙装置
ＰＦＵ２  大容量給紙装置
Ｓ  用紙
ＳＷ  用紙残量検知センサ
【図１】
2012001296.tif 000003
【図２】
2012001296.tif 000004
【図３】
2012001296.tif 000005
【図４】
2012001296.tif 000006
【図５】
2012001296.tif 000007
【図６】
2012001296.tif 000008
【図７】
2012001296.tif 000009
【図８】
2012001296.tif 000010
【図９】
2012001296.tif 000011
【図１０】
2012001296.tif 000012
【図１１】
2012001296.tif 000013
【図１２】
2012001296.tif 000014
【図１３】
2012001296.tif 000015